(57)【要約】【課題】シャワーノズルから水を霧状に噴霧してサウナ状態にするミスト式のサウナ装置において、水道や外部に設置された給湯器などから給水を受ける際、誤配管などによって配水に問題が発生した場合、浴室内に適切なサウナ空間を作り出すことが困難となる。【解決手段】サウナ運転開始時において、冷水の配水要求を行う前に温水の配水要求を行い、水温センサ１０により配水温度又は配水温度の立ち上がり時間を計測し、適切な配水が行われているかどうかを検知した後に、サウナ運転を行うサウナ装置である。【選択図】図１
2009261500.tif 000002
【特許請求の範囲】
【請求項１】
浴室内の空気を循環する循環手段と、前記循環手段により送風された空気を過熱する加熱手段と、給湯装置から配水された水を噴き出すミストノズルと、前記ミストノズルへの配水温度を計測する水温計測手段と、前記給湯装置へ配水要求を行う制御手段と、を備えたサウナ装置であって、前記制御装置は、運転開始時に前記給湯装置へ温水の配水要求を行い、所定時間経過後に前記水温計測手段によって検知された配水温度をもとに給湯装置の動作確認を行うことを特徴とするサウナ装置。
【請求項２】
制御装置は、温水の配水が可能であることを判別する第一の閾値を設け、温水計測手段により検知した温度と比較して給湯装置の動作確認を行う請求項１記載のサウナ装置。
【請求項３】
制御装置は、温水計測手段により検知した温度が第一の閾値を越えた場合に温水の配水が可能と判断することを特徴とする請求項１または２記載のサウナ装置。
【請求項４】
制御装置は、温水計測手段により検知した温度が第一の閾値以下でかつ所定時間内に所定温度以上の変化があった場合に、冷水の配水が可能と判断することを特徴とする請求項１に記載のサウナ装置。
【請求項５】
制御装置は、第一の閾値以下でかつ所定時間内に所定温度以上の変化がなかった場合に、温水と冷水の配水が不可能と判断することを特徴とする請求項１に記載のサウナ装置。
【請求項６】
制御装置は、第一の閾値は任意に設定できることを特徴とする請求項２〜５のいずれかに記載のサウナ装置。
【請求項７】
制御装置は、任意に設定できる第二の閾値を備え、温水計測手段により検知した配水要求直後の温度と比較して給湯器の動作を確認することを特徴とする請求項１または２に記載のサウナ装置。
【請求項８】
制御装置は、前記水温計測手段によって検知された配水温度をもとに第一の閾値及び第二の閾値を設定することを特徴とする請求項６〜７のいずれかに記載のサウナ装置。
【請求項９】
制御装置は、所定時間を任意に設定できることを特徴とする請求項２〜５のいずれかに記載のサウナ装置。
【請求項１０】
制御装置は、第一の所定時間及び第二の所定時間を備え、第一の所定時間及び第二の所定時間を任意に設定できることを特徴とする請求項９に記載のサウナ装置。
【請求項１１】
制御装置は、水温計測手段によって検知された配水温度をもとに第一の所定時間及び第二の所定時間を設定することを特徴とする請求項９〜１０のいずれかに記載のサウナ装置。
【請求項１２】
前記制御装置は、試運転時に、前記水温計測手段によって検知された配水温度をもとに第一の所定時間又は第一の閾値を設定することを特徴とする請求項６〜１１のいずれかに記載のサウナ装置。
【請求項１３】
前記制御装置は、試運転時に、第一の所定時間又は第一の閾値を判別できなかった場合に、運転操作を行わないことを特徴とする請求項６〜８または９〜１１のいずれかに記載のサウナ装置。
【発明の詳細な説明】
【技術分野】
【０００１】
本発明は、シャワータイプのミストサウナ装置と微細水滴を噴出するタイプのミストサウナ装置を組み合わせたミストサウナ装置に関する。
【背景技術】
【０００２】
従来、家庭でもサウナを気軽に利用するための家庭用ミストサウナ装置がある。ミストサウナ装置には二種類の方法が考えられる。
【０００３】
一つ目のものは、給湯器などから温水の配水を受け、加熱された温水をミスト状に浴室内に直接噴出させることにより、入浴した使用者にサウナと同様の効果を得ることができるシャワータイプのミストサウナ装置であった（特許文献１参照）。
【０００４】
二つ目のものは、加熱された湯水を使用するのではなく、市水から冷水の配水を受け、配水された冷水を微細に粉砕し、加熱された温風とともに浴室内に微細水滴を噴出させることにより、入浴した使用者にサウナと同様の効果を得られるミストサウナ装置であった（特許文献２参照）。
【特許文献１】特開２００３−３３４２３０号公報
【特許文献２】特開２００６−２１２２４６号公報
【発明の開示】
【発明が解決しようとする課題】
【０００５】
しかしながら、前述のサウナ装置を用いた場合はそれぞれ課題があった。
【０００６】
シャワータイプのミストサウナ装置は、温水による浴室の暖房効果をおおいに発揮することができる反面、噴出させる粒子がより大きいためミストサウナ環境でリラクゼーション効果を働かせ新聞を読んだりすることができなかった。
【０００７】
また、微細水滴を噴出するタイプのサウナ装置は、噴出させる粒子をより小さくすることができ、リラクゼーション効果を発揮させサウナ空間で新聞を読んだりすることが可能である反面、浴室内温度を急激に上昇させたり、より高温に保つことが困難な場合があった。
【０００８】
そこで、両者を併せ持ったミストサウナ装置が提供されている。
【０００９】
そして、このようなミストサウナ装置では、温水と冷水の両方を配管することとなる。
【００１０】
その配管は、温水と冷水を供給する給湯装置をミストサウナ装置へ配管する場合と、温水と冷水を分けてミストサウナ装置へ配管する場合があり、施工時に温水と冷水が供給されるようにしなければならなかった。また、給湯装置はミストサウナ装置とは別の場所に設置しているためミストサウナ装置の運転時には、給湯装置が正しく動作できる状態であることが要求されていた。
【００１１】
すなわち、温水と冷水の両方を使用するサウナ装置が運転を行う際は、給湯装置へ温水又は冷水の配水要求を行う。使用者は浴室内から冷水を使用する運転モードと、温水を使用する運転モードを切り替えることができるため、運転中に冷水を使用して噴霧した微細水滴に温風を当ててミストを発生させる運転からより室内をより高温に保つためにノズルから温水を直接噴霧させる運転へ切り替えることがある。この場合に、給湯装置が正しく動作しないと浴室室内に冷水が噴霧されてしまうことがあり、サウナ装置の使用前には、給湯装置が正しく動作できることが確認できることが要求されている。
【００１２】
本発明は、上記課題を解決するもので、使用者がサウナ装置の使用前に温水が供給されることを容易に確認できるサウナ装置を供給することを目的とする。
【課題を解決するための手段】
【００１３】
本発明のサウナ装置は上記目的を達成するために、浴室内の空気を循環する循環手段と、前記循環手段により送風された空気を過熱する加熱手段と、給湯装置から配水された水を噴き出すミストノズルと、前記ミストノズルへの配水温度を計測する水温計測手段と、前記給湯装置へ配水要求を行う制御手段とを備えたサウナ装置であって、前記制御装置は、運転開始時に前記給湯装置へ温水の配水要求を行い、所定時間経過後に前記水温計測手段によって検知された配水温度をもとに給湯装置の動作確認を行うことを特徴とするものである。
【００１４】
この手段により、サウナ装置から給湯装置の動作確認を行いサウナ運転を開始することのできるサウナ装置が得られる。
【００１５】
また、他の手段は、温水の配水が可能であることを判別する第一の閾値を設け、温水計測手段により検知した温度と比較して給湯装置の動作確認を行うものである。
【００１６】
この手段により、サウナ装置から給湯装置の動作確認を行いサウナ運転を開始することのできるサウナ装置が得られる。
【００１７】
また、他の手段は、温水計測手段により検知した温度が第一の閾値を越えた場合に温水の配水が可能と判断することを特徴とするものである。
【００１８】
この手段により、サウナ装置から給湯装置が温水の配水が可能であることを確認し行いサウナ運転を開始することのできるサウナ装置が得られる。
【００１９】
また、他の手段は、制御装置は、温水計測手段により検知した温度が第一の閾値以下でかつ所定時間内に所定温度以上の変化があった場合に、冷水の配水が可能と判断することを特徴とするものである。
【００２０】
この手段により、冷水の配水が問題がなく使用できることを検知できるサウナ装置が得られる。
【００２１】
また、他の手段は、第一の閾値以下でかつ所定時間内に所定温度以上の変化がなかった場合に、温水と冷水の配水が不可能と判断することを特徴とするものである。
【００２２】
この手段により、冷水の配水が不可能であることを検知できるサウナ装置が得られる。
【００２３】
また、他の手段は、制御装置は、第一の閾値を任意に設定できることを特徴とするものである。
【００２４】
この手段により、配水温度の閾値を用いて設置環境に適した温度に設定して、給湯装置の動作を確認することのできるサウナ装置が得られる。
【００２５】
また、他の手段は、任意に設定できる第二の閾値を備え、温水計測手段により検知した配水要求直後の温度と比較して給湯装置の動作を確認することを特徴とするものである。
【００２６】
この手段により、第二の閾値を用いて設置環境に適用させて給湯装置の動作を確認することのできるサウナ装置が得られる。
【００２７】
また、他の手段は、制御装置は、水温計測手段によって検知された配水温度をもとに第一の閾値及び第二の閾値を設定することを特徴とするものである。
【００２８】
この手段により、第一の閾値及び第二の閾値を設定することで設置環境に適用させてた給湯装置の動作を確認することのできるサウナ装置が得られる。配水要求の判定を自動的に行う効果が得られる。
【００２９】
また、他の手段は、制御装置は、所定時間を任意に設定できることを特徴とするものである。
【００３０】
この手段により、配水温度の立ち上がり時間を用いて設置環境に適用させて給湯装置の動作を確認することのできるサウナ装置が得られる。
【００３１】
また、他の手段は、制御装置は、第一の所定時間及び第二の所定時間を備え、第一の所定時間及び第二の所定時間を任意に設定できることを特徴とするものである。
【００３２】
この手段により、配水温度の立ち上がり時間を２段階設定して設置環境に適用させて給湯装置の動作を確認することのできるサウナ装置が得られる。
【００３３】
また、他の手段は、制御装置は、水温計測手段によって検知された配水温度をもとに第一の所定時間及び第二の所定時間を設定することを特徴とする請求項９〜１０に記載のサウナ装置である。
【００３４】
この手段により、配水温度の立ち上がり時間を用いて設置環境に適用させて給湯装置の動作を確認することのできるサウナ装置が得られる。
【００３５】
また、他の手段は、制御装置は、試運転時に、水温計測手段によって検知された配水温度をもとに第一の所定時間又は第一の閾値を設定判別することを特徴とするものである。
【００３６】
この手段により、試運転時に配水温度の閾値または立ち上がり時間を設定することで設置環境に適用させて給湯装置の動作を確認することのできるサウナ装置が得られる。
【００３７】
また、他の手段は、前記制御装置は、試運転時に、第一の所定時間又は第一の閾値を判別できなかった場合に、運転操作を行わないことを特徴とするものである。
【００３８】
この手段により、試運転を完了したことを確認したうえで使用者が操作を行うことのできるサウナ装置が得られる。
【発明の効果】
【００３９】
本発明によれば、サウナ装置から給湯装置への通信手段と、給湯装置からサウナ装置への配管が正しく設置されて動作していることを確認することができるサウナ装置を提供することができる。
【発明を実施するための最良の形態】
【００４０】
請求項１記載の発明は、浴室内の空気を循環する循環手段と、前記循環手段により送風された空気を過熱する加熱手段と、給湯装置から配水された水を噴き出すミストノズルと、前記ミストノズルへの配水温度を計測する水温計測手段と、前記給湯装置へ配水要求を行う制御手段とを備えたサウナ装置であって、前記制御装置は、運転開始時に前記給湯装置へ温水の配水要求を行い、所定時間経過後に前記水温計測手段によって検知された配水温度をもとに給湯装置の動作確認を行う作用を有する。
【００４１】
請求項２記載の発明は、温水の配水が可能であることを判別する第一の閾値を設けたサウナ装置であって、温水計測手段により検知した温度と比較して給湯装置の動作確認を行う作用を有する。
【００４２】
請求項３記載の発明は、温水計測手段により検知した温度が第一の閾値を越えた場合に温水の配水が可能と判断する作用を有する。
【００４３】
請求項４記載の発明は、制御装置は、温水計測手段により検知した温度が第一の閾値以下でかつ所定時間内に所定温度以上の変化があった場合に、冷水の配水が可能と判断するという作用を有する。
【００４４】
請求項５記載の発明は、第一の閾値以下でかつ所定時間内に所定温度以上の変化がなかった場合に、温水と冷水の配水が不可能と判断する作用を有する。
【００４５】
請求項６記載の発明は、制御装置は、第一の閾値を任意に設定できるサウナ装置であって、第一の閾値を設置環境に適した温度に設定して、給湯装置の動作を確認するという作用を有する。
【００４６】
請求項７記載の発明は、任意に設定できる第二の閾値を備え、温水計測手段により検知した配水要求直後の温度と比較して給湯装置の動作を確認することを特徴とするサウナ装置であって、第二の閾値を用いて設置環境に適用させて給湯装置の動作を確認する作用を有する。
【００４７】
請求項８記載の発明は、制御装置は、水温計測手段によって検知された配水温度をもとに第一の閾値及び第二の閾値を設定することを特徴とするサウナ装置であって、第一の閾値及び第二の閾値を設定することで設置環境に適用させて給湯装置の動作を確認する作用を有する。
【００４８】
請求項９記載の発明は、制御装置は、所定時間を任意に設定できることを特徴とするサウナ装置であって、配水温度の立ち上がり時間を用いて設置環境に適用させて給湯装置の動作を確認する作用を有する。
【００４９】
請求項１０記載の発明は、制御装置は、第一の所定時間及び第二の所定時間を備え、第一の所定時間及び第二の所定時間を任意に設定できることを特徴とするサウナ装置であって、配水温度の立ち上がり時間を２段階設定して設置環境に適用させて給湯装置の動作を確認する作用を有する。
【００５０】
請求項１１記載の発明は、制御装置は、水温計測手段によって検知された配水温度をもとに第一の所定時間及び第二の所定時間を設定することを特徴とするサウナ装置であって、配水温度の立ち上がり時間を用いて設置環境に適用させて給湯装置の動作を確認する作用を有する。
【００５１】
請求項１２記載の発明は、制御装置は、試運転時に、水温計測手段によって検知された配水温度をもとに第一の所定時間又は第一の閾値を設定することを特徴とするサウナ装置であって、試運転時に配水温度の閾値または立ち上がり時間を設定することで設置環境に適用させて給湯装置の動作を確認する作用を有する。
【００５２】
請求項１３記載の発明は、制御装置は、試運転時に、第一の所定時間又は第一の閾値を判別できなかった場合に、運転操作を行わないことを特徴とするサウナ装置であって、試運転を完了したことを確認したうえで使用者が操作を行うという作用を有する。
【００５３】
（実施の形態１）
図１は本発明の実施の形態１〜５におけるサウナ装置の構成を示す図である。
【００５４】
まず、本実施の形態の構成について説明する。サウナ空間を形成する浴室などの天井１に取り付けられたケーシング２の内部に循環ファン３が設けられ、この循環ファン３が駆動されたときに下部のサウナ室内の空気を循環するための循環風路３ａ内に、ヒータなどの加熱手段４とミストノズル５及び５ａが設けられている。
【００５５】
このミストノズル５及び５ａは、給水管６に接続され、給湯装置１７から５０℃程度の温水と２０〜３０℃程度の常温である冷水の配水を受ける。給水弁７の動作で霧状のミストを前記の循環風路３ａ内に噴出し、給水弁７ａの動作で霧状のミストを浴室内に噴出する。
【００５６】
そして、ミストノズル５ａを用いて温水を噴射させた時はシャワータイプのミストサウナ装置と、循環ファン３からの送風空気を加熱手段４で加熱して、ミストノズル５を用いて噴射した冷水に当ててミストを発生する微細水滴を噴出するタイプのミストサウナ装置の両方を有した構成とするものである。
【００５７】
以上述べた構成は後述する実施の形態２〜５においても同じである。
【００５８】
なお、この種のサウナ装置は、サウナ室内の換気を行うために排気ファン８が設けられていて、この排気ファン８が駆動することで排気風路８ａが構成され、サウナ室内の空気は屋外に排出されて換気が行われる。
【００５９】
制御手段９は、ケーシング２内の冷所に設置され、前述の循環ファン３や加熱手段４などを制御する。
【００６０】
また、ミストノズル５及び５ａ近傍であって、給水弁７及び７ａの上流には、の給水管６に水温計測検知手段として水温センサ１０を設けている。この水温センサ１０は、例えばサーミスタを用いたものを使用する。
【００６１】
図２は電気系の構成を示すブロック図である。
【００６２】
制御手段９は、ＣＰＵ１１に入力として水温センサ１０が接続されると共に、運転の発停や、タイマ運転などを設定する設定部１２が接続され、ＣＰＵ１１の出力には電磁継電器などの駆動手段１３、１４、１５を介して、それぞれ循環ファン３、加熱手段４、給水弁７及び７ａが接続され、さらに通信手段１６を介して給湯装置１７が接続されている。
【００６３】
前記設定部１２は、使用者が操作して、換気運転や暖房運転やサウナ運転などの運転モードを選択し、運転の発停やタイマ運転を行わせるもので、スイッチやタイマ時限の表示器などから構成されるものである。
【００６４】
上記構成において、設定部１２で使用者がサウナ運転を選択し、運転スイッチを押すことにより、制御手段９は循環ファン３と加熱手段４と給水弁７及び７ａを駆動して、サウナ室内の空気を加熱と加湿をしながら循環して、サウナ室内を温暖で多湿な状態にする。この制御手段９の詳細な動作を図１と図２を参照しながら、図３を用いて説明する。    
【００６５】
図３は本発明の実施の形態におけるサウナ装置の動作を示すシーケンスを示す。本発明のサウナ装置が運転を開始すると、制御手段９であるマイコンは、使用者の設定した運転モードにかかわらず通信手段１６を用いて、給湯装置１７へ温水の配水要求を行う。給湯装置１７からミストノズル５までの配管は施工場所によってことなるが最大で１５ｍ程度の距離があり、配水要求を開始してから最大で３分間程度の温度上昇の遅れ時間が発生する。この遅れ時間内は、配管内に溜まっていた常温の水がサウナ装置に配水されるため、給湯装置１７で加熱された温水はすぐにはサウナ装置には配水されない。ここで所定時間を遅れ時間と同じ３分間とし、また、４０℃を閾値とする。所定時間である３分経過後に水温センサ１０により検知された配水温度は、給湯装置１７から５０℃の温水を配水した場合には閾値４０℃よりも上昇する。  以上のことから、所定時間経過後の配水温度を検知することで、サウナ装置から給湯装置１７への通信手段１６と、給湯装置１７からサウナ装置への配管に問題がないことが検知できる。その後、使用者の設定したサウナ運転を行うこととなる。
【００６６】
すなわち、冷水を使用するサウナ運転を設定した場合には、図１に示すように温水の検知後マイコンは、冷水の配水要求を給湯装置１７へ行うこととなる。次に、浴室の温度をより高くするために使用者が温水を使用するサウナ運転へ設定を変更してもあらかじめ温水の供給が可能であることを検知できているので、運転が中断されることもなく安心してサウナ装置を使用することができる。
【００６７】
その結果、温水又は冷水を使用する運転モードのどちらを利用するにしても、運転の開始時において温水の配水が確実に行われることが検知できるため、使用者は安心して浴室内から運転モードを変更することができる。
【００６８】
以上のように、配水温度が所定値を上回っている場合は、サウナ装置から給湯装置への通信手段により温水の配水要求が正しく伝達されると共に、給湯装置からサウナ装置への配管において正しく温水が配水されると判断できる。つまり、温水を使用する場合においてサウナ装置及び給湯装置として問題がないことを示す。従ってマイコンは、運転開始時において給湯装置１７の動作確認すなわち温水が正しく利用できることを認識できる。
【００６９】
また、配水温度が所定値を下回っている場合は、サウナ装置から給湯装置への通信手段に問題があり、温水の配水要求が正しく伝達されていないか、又は、給湯装置からサウナ装置への配管が正しくなされていないか、給湯装置が停止していることと判断できる。つまり、温水を使用する場合においてサウナ装置及び給湯装置に問題があることを示す。従ってマイコンは、運転開始時において温水が利用できないことを認識し使用者へ知らすことができる。
【００７０】
（実施の形態２）
本実施の形態では、実施の形態１の構成に加えて、配水要求を発している間に水温計測検知手段としての水温センサ１０が検知した温度のうち最低温度と最高温度を制御手段９内のマイコンが比較する処理を行うところに特徴がある。実施の形態１と同様の構成要件については同一の符号を付してその説明は省略する。
【００７１】
以下、その動作について述べる。
【００７２】
まずは、配水温度が所定値を上回っている場合である。これは実施の形態１で述べた通り、サウナ装置の使用前に温水が供給されることを容易に確認できる。  次に、配水温度が閾値を下回っている場合である。温水及び冷水は、給湯装置１７から配管を介してサウナ装置に配水されるが、その過程において、温度分布にムラがあることが考えられる。例えば、給湯装置１７が屋外にあれば、配管は室内に設置されているサウナ装置近辺と、給湯装置１７近辺の配管内の水温は異なっている。従って、配水が行われるということは、水温センサ１０で検知される配水温度にも変化が生じる。そこで前記マイコンは、所定時間内の配水温度を継続的に最低温度と最大温度とを比較する。所定時間内で一度でも所定温度、例えば２℃以上の差があった場合は、配管内部で水が動いていることが判断できる。つまり、温水が正しく配水されていないものの、冷水は利用できることを認識できる。
【００７３】
また、第三に、配水温度が閾値を下回っているうえに、最大温度と最低温度に所定温度、例えば２℃以上の差がなかった場合である。前述した通り、配管内に温水又は冷水が配水されている場合は、配水温度に変化があることが予想される。仮に配管が接続されておらず、給湯装置からサウナ装置へ温水又は冷水が配水されていない場合は、マイコンが通信手段を用いて配水要求を行ったとしても、配管内を温水又は冷水が流れることがない。従って、２℃以上の変化がなかった場合は、配管内を温水はもちろんのこと冷水も流れていない判断する。つまり、配管が正しく接続されていないため、温水も冷水も利用できないことを認識できる。
【００７４】
そして、給湯装置１７の動作確認すなわち給湯装置１７が正しく動作できることを確認した後にサウナ装置の運転を行うこととなる。
【００７５】
（実施の形態３）
本実施例では閾値を状況に応じて設定する処理を行う。
【００７６】
第一に、第一の閾値を使用者が設定できる場合である。実際の使用状況において、同様の運転を行ったとしても設置環境によって温度変化や立ち上がり時間にはバラつきがあることが予想される。バラつきの原因として例えば、季節の変化や設置される地域毎の気温差などの外気温に影響されるものや、配管の長さ、配管工事の状況など、施工業者の使用する配管やその断熱部材や工法による影響などが挙げられる。
【００７７】
あらかじめ設置環境を考慮して、前述した配水温度、閾値、所定時間等の範囲を決定するが、例えば、温暖な地域で短い配管長での設置を行った場合と、寒冷な地方で長い配管長での設置を行った場合では、どちらも設置可能な範囲内であったとしても、温度変化や立ち上がり時間にはバラつきがある。
【００７８】
そこで、配水温度の第一の閾値を前述した４０℃から、例えば±５℃の範囲で設定可能にした構成とする。設置環境において、より素早い運転の立ち上がりが期待できない場合は、閾値の温度を下げることで、所定時間経過前に温水が利用できることが判断できるため、冷水を利用するマイクロミストサウナ運転開始までの時間が短縮できる。一方で、設置環境に余裕があり、素早い運転の立ち上がりができる場合、例えば夏季で温暖な気候に設置されている場合は、配管内の配水温度自体が前記閾値を超えてしまうことが考えられる。その結果、給湯装置１７からの温水が到達する前に、配管内に滞留して外気温により加熱された水がサウナ装置に流れ込み、誤って温水が供給されていると判断されてしまう可能性がある。従って、そのような設置環境において確かな判定を行いたい場合は、閾値を上げることができる。
【００７９】
第二に、第一の閾値に加えて第二の閾値を使用者が設定できる場合について説明する。例えば、長時間の循環ファン３と加熱手段４を駆動して浴室内の暖房を行った直後は、ミストノズル５近辺の配管内の配水温度は上昇しており、配水要求を開始した時点で、配水温度が既に４０℃を越えていることがある。そのような場合には、第一の閾値に加えて、第二の閾値によって判断を行う構成とする。
【００８０】
まず、所定時間後に第一の閾値である４０℃を越えていた場合は、温水の配水に問題はないと考えられるが、配水要求直後に既に第一の閾値である４０℃近くに上昇していた場合は、配水温度の上昇が必ずしも給湯装置１７からの温水の配水を受けて上昇したものであるとは判断できない。そこで、配水要求直後の温度に対応して第二の閾値を設定する構成にすることで、給湯装置１７からの温水が配水される前と比較して、配水がされた後では明確に温度上昇があったことを判断することができる。すなわち、温水の配水要求直後に水温センサ１０が検知した温度が、第二の閾値として例えば３５℃より低く、所定時間経過後にこの第二の閾値を越え、さらに第一の閾値を越えていた場合は、暖房運転直後の影響を受けずに給湯装置１７の動作確認すなわち給湯装置１７が正しく動作して、温水を配水できることが確認できる。
【００８１】
第三に、実際のミストサウナ装置の運転の中で第一の閾値と第二の閾値を設定する構成について説明をする。マイコンは、温水を使用した運転を行う毎に、温水の配水要求を行ってから所定時間を経過した後の閾値を記憶し、次回、温水を使用した運転を行う際には、この計測した閾値を第一の閾値として使用する。第一の閾値を利用した判断方法は前述したとおりである。この処理を行うことで、使用者又は施工者が設置環境による温水の立ち上がり時間のバラつきを意識することなく、温水が配水されているかを正しく判断するための閾値を設定することが可能となる。また、運転時にマイコンが第一の閾値を４０℃と判別した場合には、第二の閾値を自動的に第一の閾値から５℃下回った３５℃とする。その結果、前述した第一の閾値及び第二の閾値を使用した方法を用いて、温水の配水要求が正しく行われていることをより正確により設置環境にあった判別を行うことが可能となる。
【００８２】
そして、給湯装置１７の動作確認すなわち給湯装置１７が正しく動作できることを確認した後にサウナ装置の運転を行うこととなる。
【００８３】
（実施の形態４）
本実施例では所定時間を状況に応じて二つ用意する構成について説明をする。  第一に、第一の所定時間を使用者が設定できる場合である。前述した通り、設置環境にバラつきがあった場合に、温水の立ち上がり時間にバラつきが予想されるが、所定時間を経過した後であっても、温暖な地域と寒冷な地域とでは水温センサによって検知される水温には違いがあることがある。例えば、温暖な地域において夏季に配管自体が３０℃〜４０℃程度まで上昇していることがあり、寒冷な地域の冬季において０℃付近まで低下している場合に比べて、配管に吸収される温水の熱がすくなくなる。その結果、寒冷な地域の冬季と比較して温暖な地域の夏季は温水の立ち上がり時間が早くなる。そこで、第一の所定時間を変更することにより、設置環境又は使用する季節によって、より適した時間を設定できる。
【００８４】
第二に、第一の所定時間に加えて第二の所定時間が設定できる場合である。一例として、第一の所定時間を３分、第二の所定時間を４分として説明をする。前述した通り、設置環境によって温水の立ち上がり時間にバラつきがあることが予想されるが、冬季と夏季に大きな温度差がある地域では、夏季に合わせて第一の所定時間を設定すると、冬季は第一の所定時間に水温センサによって検知された水温が閾値まで到達しないことが考えられる。逆に、冬季に合わせて第一の所定時間を設定すると、夏季は長すぎる所定時間を経過した後に、閾値の判断を行うことになり、運転の素早い立ち上がりに不利となる。そこで、第一の所定時間経過後に検知された水温と閾値を比較し、水温が到達していなかった場合には第二の所定時間において再度閾値との比較を行う。このような処理を行うことで、夏季と冬季に大きな温度差がある設置環境でも、第一の所定時間及び第二の所定時間を設定する構成とすることで正しい判断を行うことが可能となる。
【００８５】
第三に、マイコンにより各所定時間を判別し、温水の配水要求が正しくなされているかの判断を行うことができる。マイコンは、温水を使用した運転を行う毎に、温水の配水要求を行ってから閾値を越えるまでの時間を記憶し、次回、温水を使用した運転を行う際に、この計測した時間を第一の所定時間として使用する。第一の所定時間を利用した判断方法は前述した通りである。この処理を行うことで、使用者又は施工者が設置環境による温水の立ち上がり時間のバラつきを意識することなく、温水が配水されているかを正しく判断するための所定時間を設定することが可能となる。また、運転時にマイコンが第一の所定時間を３分と判別した場合には、第二の所定時間を自動的に第一の所定時間から１分上回った４分とする。その結果、前述した第一の所定時間及び第二の所定時間を使用した方法を用いて、温水の配水が正しく行われていることをより正確により設置環境にあった判別を行うことが可能となる。
【００８６】
以上のようにして、給湯装置１７の動作確認すなわち給湯装置１７が正しく動作できることを確認した後にサウナ装置の運転を行うこととなる。
【００８７】
（実施の形態５）
図４は実施の形態５の電気系の構成を示すブロック図である。
【００８８】
本実施例では、試運転時に所定時間又は閾値を判別する処理を行う。
【００８９】
第一に、所定時間を試運転時に判別する方法について述べる。本実施の形態で述べる試運転とは、施工者がサウナ装置を取り付け現場に設置した際に、サウナ装置が正しく動作することを確認するための作業のことを言う。従って試運転とは、施工作業が完了した直後の電源投入後最初に行われることを想定している。試運転は、通常の使用者が操作する運転モードとは別に動作し、施工者だけが知っている操作方法を用いて、サウナ装置を動作させるモードのことである。
【００９０】
施工者は試運転の際、サウナ装置を使用して運転を行う際に、実使用と同様に、通信手段を用いて給湯装置１７に温水の配水要求を行い、配管を介して温水の配水を受ける。このとき、水温センサ１０による水温が閾値を越えるまでの時間を計測し、マイコン近辺に設置された記憶装置１８、例えばＥＥＰＲＯＭに記憶する。施工者が試運転を完了すると、ＥＥＰＲＯＭには所定時間が記憶されている。
【００９１】
実際に使用者が運転を行い、温水の配水要求がなされた場合は、マイコンがＥＥＰＲＯＭから前述した所定時間を読み出し、所定時間経過後に水温センサ１０により検知された水温と閾値を比較する処理を行う。
【００９２】
以上の処理を行うことで、設置環境の違いにより温水の立ち上がり時間に違いがあったとしても、試運転という、使用者が使用を開始する前の施工直後の段階で所定時間を決定することができる。
【００９３】
なお、ＥＥＰＲＯＭに記憶された所定時間を前述した第一の所定時間とし、第一の所定時間から１分上回った時間を第二の所定時間として使用してもよい。
【００９４】
所定時間ではなく閾値を使用する場合は、実施の形態３に示した方法によって、試運転時にＥＥＰＲＯＭに閾値を記憶することで、同様の方法を用いて判断を行うことが可能となる。更に、ＥＥＰＲＯＭに記憶された閾値を第一の閾値とし、第一の閾値から５℃下回った温度を第二の閾値として使用してもよい。
【００９５】
第二に、前述した試運転時に所定時間又は閾値を判別する処理を行う場合は、試運転が正しく完了しない場合に、通常の運転に移行しないという処理を行う。
【００９６】
ここで、試運転が正しく完了しないとは、２つの状況が考えられる。
【００９７】
まず、所定時間を試運転時に判断してＥＥＰＲＯＭに記憶する場合が考えられる。試運転時間中に、水温センサにより検知された水温が閾値まで立ち上がることなく、通常の運転モードに移行した場合である。前述した通り、マイコンは閾値を越えるまでの時間を所定時間としてＥＥＰＲＯＭに記憶するため、水温が閾値に達しないまま通常の運転モードに移行するということは、ＥＥＰＲＯＭには所定時間が記憶されていないということになる。そこで、施工者の試運転の誤操作等により、試運転が正しく完了していないまま使用者が運転を開始した場合は、マイコンがＥＥＰＲＯＭから所定時間を読み出した時点で、所定時間が記憶されていないことを判断し、運転を行わない。
【００９８】
次に、閾値を試運転時に判断してＥＥＰＲＯＭに記憶する場合が考えられる。試運転時間中に、所定時間内に水温センサにより検知された水温が立ち上がることなく、通常の運転モードに移行した場合である。前述した通り、マイコンは所定時間経過時の水温を閾値としてＥＥＰＲＯＭに記憶するため、所定時間内に水温が閾値に達しないまま通常の運転モードに移行するということは、ＥＥＰＲＯＭには閾値が記憶されていないということになる。そこで、施工者の試運転の誤操作等により、試運転が正しく完了していないまま使用者が運転を開始した場合は、マイコンがＥＥＰＲＯＭから閾値を読み出した時点で、閾値が記憶されていないことを判断し、運転を行わない。
【００９９】
なお、試運転が正しく完了していないために、所定時間又は閾値が記憶されていない場合は、通常の運転を行う際に異常の表示を行い、施工者による試運転を完了することを促してもよい。
【産業上の利用可能性】
【０１００】
本発明にかかるサウナ装置は、温水を用いる空気調和機でも同様の手段を用いることで、正しい温水の配水を確認することができる。
【図面の簡単な説明】
【０１０１】
【図１】本発明の実施の形態１〜５の全体構成を示す図
【図２】本発明の実施の形態１〜４の電気系の構成を示すブロック図
【図３】本発明の実施の形態１〜５における制御手段の動作を示すシーケンス図
【図４】本発明の実施の形態５の電気系の構成を示すブロック図
【符号の説明】
【０１０２】
１    天井
２    ケーシング
３    循環ファン
３ａ  循環風路
４    加熱手段
５    ミストノズル
５ａ  ミストノズル
６    給水管
７    給水弁
７ａ  給水弁
８    排気ファン
８ａ  排気風路
９    制御手段
１０  水温センサ
１１  ＣＰＵ
１２  設定部
１３、１４、１５  駆動手段
１６  通信手段
１７  給湯装置
１８  記憶装置
【図１】
2009261500.tif 000003
【図２】
2009261500.tif 000004
【図３】
2009261500.tif 000005
【図４】
2009261500.tif 000006